(57)【要約】      （修正有）【課題】バッグを肩に掛けたまま、または把持部を手で把持したままでも、片手でスムーズにファスナーの開閉操作が可能であり、かつ十分な大きさの開口部を確保することが可能なバッグを提供する。【解決手段】収納部１１と、上記収納部上部１２を長さ方向に沿って開口する開口部１３と、上記開口部を開閉するためのファスナー部１４と、上記ファスナー部の長さ方向両端部１５に延設されたファスナー端部片１６と、上記収納部上部の長さ方向両端部にその両端部が固定された、持ち運び用帯状体１７とを有し、上記持ち運び用帯状体の両端部１８と、上記ファスナー端部片が互いに固定されていることを特徴とする。【選択図】図１
0003136723.tif 000002
【実用新案登録請求の範囲】
【請求項１】
上部に開口部を有する収納部と、上記開口部を開閉しうるファスナー部と、上記ファスナー部の長さ方向両端部に延設されたファスナー端部片と、上記収納部収納部に取り付けられた持ち運び用帯状体とを備えたバッグにおいて、
上記ファスナー端部片が上記持ち運び用帯状体に固定されていることを特徴
とするバッグ。
【請求項２】
上記ファスナー端部片は上記持ち運び用帯状体の幅寸法と同一に形成されていることを特徴とする請求項１記載のバッグ
【請求項３】
上記持ち運び用帯状体が肩掛け用紐であることを特徴とする請求項１または２記載のバッグ。
【請求項４】
上記持ち運び用帯状体が手提げ用把持部であることを特徴とする請求項１または２記載のバッグ。
【請求項５】
上記ファスナー部は、互いに対向する２つのスライダーを有し、
上記ファスナー部の長さ方向両端部いずれからでも開閉操作が可能であることを特徴とする請求項１から４いずれか１項記載のバッグ。
【考案の詳細な説明】
【技術分野】
【０００１】
本考案は、収納部の上部に開口部を有し、上記開口部をファスナーによって開閉するバッグに関する。
【背景技術】
【０００２】
収納部の上部に開口部を有し、上記開口部をボタン、フック、またはファスナー等の開閉手段により開閉することで使用する形態のバッグは広く流通している。
【０００３】
上記開閉手段がボタン、及びフックによるものの場合、持ち運び途中に外れやすく、また外部から内容物が見え易くなる等の問題がある。この点、ファスナーによる開閉手段は、外れにくく、かつ内容物が外部から視認されない。
【０００４】
収納部上部の開口部をファスナーにより開閉するバッグは、例えば従来、図５、６に示したような形態に形成されている。
図５、６において、バッグ８０の略直方体箱状に形成された収納部８１の上部８２にはファスナー部８３によって開閉される開口部８４が設けられている。
上記ファスナー部８３は、ファスナー本体９０とファスナー取り付け片９１とからなり、上記ファスナー取り付け片９１の長さ方向両端部８９、８９にはファスナー端部片８６、８６が連設されている。
また、収納部上部８２の長さ方向両端部８５、８５には肩掛け用紐８７が固定されている。
この場合、ファスナーは上記開口部８４の長さ寸法よりも大きい長さ寸法を有しており、上記ファスナー端部片８６、８６は固定されておらず、収納部８１からは遊離した状態にある。
従って、上記開口部８４を開放する際、収納部８１を幅方向に拡開した場合であっても、上記のようにファスナーは開口部８４の長さ寸法よりも大きい長さ寸法に形成されていることから、ファスナー両端部までスライダー８９を移動させて、開口部８４を大きく開くことができるように構成されている。
しかしながら、上記ファスナー端部片８６、８６はバッグ収納部から遊離した状態であるため、指等で上記ファスナー端部片８６を挟持せずにスライダー８８をスライドさせると、上記ファスナー端部片８６が収納部上方に反り返ってしまうため、スムーズな開閉操作が困難となるという問題があった。
従って、ファスナー部８３の開閉操作時は、上記ファスナー端部片８６を指等で挟持した上でスライダー８８をスライドさせる必要があった。
具体的には、上記収納部８１を肩掛け用紐８７で肩にかけている場合は、肩に掛けている方の手指で上記ファスナー部８３のファスナー端部片８６を把持し、もう一方の手指でスライダー８８をスライドさせる必要があり、非常に無理な体勢となる。また、この際バッグが肩からずれ落ちてしまう恐れがあるという問題を有していた。
さらに、上記ファスナー端部片８６と上部８２の長さ方向端部８５の間に隙間が生じることで、小寸法の内容物が落下する恐れがあるという問題をも有していた。
一方、上記ファスナー端部片８６を設けず、上記ファスナー部８３の長さ方向両端部８９、８９を、直接上部８２の長さ方向端部８５に固定した形態のバッグも存在するが、片手でも開閉操作が可能である反面、開口部を広げ難いため、十分な大きさの開口部を確保できないという問題を有していた。
【考案の開示】
【考案が解決しようとする課題】
【０００５】
本考案の課題は、バッグを肩に掛けたまま、または手に提げたままでも、片手でスムーズにファスナーの開閉操作が可能であり、かつ十分な大きさの開口部を確保することが可能なバッグを提供することにある。
【課題を解決するための手段】
【０００６】
上記課題を解決するために、請求項１に記載された考案に係るバッグは、上部に開口部を有する収納部と、上記開口部を開閉しうるファスナー部と、上記ファスナー部の長さ方向両端部に延設されたファスナー端部片と、上記収納部収納部に取り付けられた持ち運び用帯状体とを備えたバッグにおいて、上記ファスナー端部片が上記持ち運び用帯状体に固定されていることを特徴とする。
【０００７】
すなわち、ファスナー端部片と持ち運び用帯状体の両端部が互いに固定されていることで、スライダーをスライドさせる際に、ファスナー端部片がスライダーに引かれて収納部上方に反り返ることがない。
【０００８】
また、請求項２に記載された考案に係るバッグは、上記ファスナー端部片は上記持ち運び用帯状体の幅寸法と同一に形成されていることを特徴とする。
【０００９】
すなわち、持ち運び用帯状体からファスナー端部片がはみ出さず、持ち運び時に邪魔になることがない。
【００１０】
また、請求項３に記載された考案に係るバッグは、上記持ち運び用帯状体が肩掛け用紐であることを特徴とする。
【００１１】
また、請求項４に記載された考案に係るバッグは、上記持ち運び用帯状体が手提げ用把持部であることを特徴とする。
【００１２】
また、請求項５に記載された考案に係るバッグは、上記ファスナー部は、互いに対向する２つのスライダーを有し、上記ファスナー部の長さ方向両端部いずれからでも開閉操作が可能であることを特徴とする。
【００１３】
すなわち、対向する２つのスライダーにより、両端どちらからでもファスナーを開閉できる。
【考案の効果】
【００１４】
請求項１に記載の考案に係るバッグは、上部に開口部を有する収納部と、上記開口部を開閉しうるファスナー部と、上記ファスナー部の長さ方向両端部に延設されたファスナー端部片と、上記収納部収納部に取り付けられた持ち運び用帯状体とを備えたバッグにおいて、上記ファスナー端部片が上記持ち運び用帯状体に固定されているため、ファスナー端部片を挟持せずにスライダーをスライドさせても、ファスナー端部片がスライダーに引かれて収納部上方へ反り返ることがない。
従って、片手のみで容易にファスナーの開閉操作が可能なバッグを提供できる。
また、上記ファスナー端部片はバッグ収納部ではなく、上記持ち運び用帯状体に固定されているため、十分な大きさの開口部を確保可能なバッグを提供できる。
さらに、上記ファスナー端部片が上記持ち運び用帯状体に固定されることで、上記ファスナー端部片とバッグ収納部間の隙間が小さくなり、小寸法の内容物の落下も防止可能なバッグを提供できる。
【００１５】
請求項２に記載の考案に係るバッグは、上記ファスナー端部片は上記持ち運び用帯状体の幅寸法と同一に形成されているため、上記持ち運び用帯状体を肩に掛けるか、若しくは手で把持する場合も邪魔にならず、使い勝手が良いバッグを提供できる。
【００１６】
請求項３に記載の考案に係るバッグは、上記持ち運び用帯状体が肩掛け用紐であるため、バッグを肩に掛けたままでも、片手のみで容易にファスナーの開閉操作が可能なバッグを提供できる。
【００１７】
請求項４に記載の考案に係るバッグは、上記持ち運び用帯状体が手提げ用把持部であるため、バッグを把持したまま、もう一方の手で容易にファスナーの開閉操作が可能なバッグを提供できる。
【００１８】
請求項５の考案に係るバッグは、上記ファスナー部は、互いに対向する２つのスライダーを有し、上記ファスナー部の長さ方向両端部いずれからでも開閉操作が可能であるため、ファスナーの両端いずれからでも、片手で容易に開閉操作を行うことが可能なバッグを提供できる。
【考案を実施するための最良の形態】
【００１９】
以下添付図面に記載に基づき、持ち運び用帯状体が肩掛け用紐である場合の実施の形態に基づき、本考案を説明する。
【００２０】
図１〜３に示すとおり、本実施の形態に係るバッグ１０は収納部１１と、上記収納部上部１２を長さ方向に沿って開口する開口部１３と、ファスナー本体２１とファスナー取り付け片２２とからなる、上記開口部１３を開閉するためのファスナー部１４と、上記ファスナー取り付け片２２の長さ方向両端部２０、２０に延設されたファスナー端部片１６、１６と、上記収納部上部の長さ方向端部１５、１５にその端部１８、１８が固定された、肩掛け用紐１７とを有し、ファスナー端部片１６、１６は、上記肩掛け用紐１７の幅寸法と同一に形成され、上記ファスナー端部片１６、１６は上記肩掛け用紐１７の両端部１８、１８から所定寸法分離間して上記肩掛け用紐１７の上方側に固定されている。
また、上記ファスナー部１４は、互いに対向する２つのスライダー１９、１９を有している。
【実施例】
【００２１】
以下に、本実施例について詳細を説明する。
図１及び図４に示すように、本考案に係るバッグ１０は、肩掛け用紐１７を肩に掛けて用いる。
ファスナー部１４を開放するため、片手でスライダー１９を引いた場合、スライダー１９には、上記スライダー１９が移動する方向において、斜め上方への引張力が働く。
この際、上記ファスナー端部片１６が上記肩掛け用紐１７の端部１８に固定されていることから、上記引張力に抗することができ、上記スライダー１９に引かれて上記ファスナー端部片１６が上方へ反り返ることがない。
従って、上記ファスナー部１４の開放操作が阻害されることを防止し、上記バッグ１０を肩に掛けたままでも、一方の手で容易に上記ファスナー部１４の開閉操作を行うことができる。
また、上記ファスナー端部片１６、１６は上記肩掛け用紐１７の端部１８、１８から所定寸法分離間して上記肩掛け用紐１７の上方側に固定されているため、バッグ収納部に上記ファスナー端部片１６、１６が一体的に固定されているバッグと比較し、より大きな開口部を確保でき、内容物の出し入れも容易となる。
さらに、上記ファスナー端部片１６、１６が上記肩掛け用紐１７の端部１８、１８に固定されることで、上記ファスナー端部片１６、１６と収納部１１の間に隙間が生じ難く、小寸法の内容物が落下することを防止できる。
【００２２】
なお、本実施例は、肩掛け用紐を有するバッグを例としているが、肩掛け用紐が、手提げ用把持部であっても、同様の作用効果が得られる。
【産業上の利用可能性】
【００２３】
本製品は、肩に掛けて使用するショルダーバッグ及び手で把持して使用するハンドバッグを含め、ファスナーで上部の開口部を開閉するバッグに適用可能である。
【図面の簡単な説明】
【００２４】
【図１】本実施例の形態に係るバッグの斜視図である。
【図２】本実施例の形態に係るバッグのおけるファスナー端部片の拡大平面図である。
【図３】本実施例の形態に係るバッグのファスナー端部片の拡大側面図である。
【図４】本実施例の形態に係るバッグのファスナー開放操作時の斜視図である。
【図５】従来のバッグの斜視図である。
【図６】従来のバッグのファスナー端部片の拡大側面図である。
【符号の説明】
【００２５】
１０  本考案に係るバッグ
１１  収納部
１２  収納部上部
１３  開口部
１４  ファスナー部
１５  収納部上部の長さ方向端部
１６  ファスナー端部片
１７  肩掛け用紐
１８  肩掛け用紐端部
１９  スライダー
２０  ファスナー取り付け２１の長さ方向端部
２１  ファスナー本体
２２  ファスナー取り付け片
【図１】
0003136723.tif 000003
【図２】
0003136723.tif 000004
【図３】
0003136723.tif 000005
【図４】
0003136723.tif 000006
【図５】
0003136723.tif 000007
【図６】
0003136723.tif 000008